(57)【要約】【課題】溶解パルプ製造工程における付着物を洗浄可能な方法を提供する。【解決手段】水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを溶解パルプ製造工程水系に添加して溶解パルプ製造工程水系を洗浄することを含む、溶解パルプ製造工程における付着物の洗浄方法に関する。【選択図】なし【特許請求の範囲】
【請求項１】
溶解パルプ製造工程における付着物の洗浄方法であって、
水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを、溶解パルプ製造工程水系に添加して溶解パルプ製造工程水系を洗浄することを含む、洗浄方法。
【請求項２】
洗浄対象である付着物は、５０重量％以上の強熱（灼熱）減量と、１重量％以上の硫黄分とを含有する付着物を含む、請求項１記載の洗浄方法。
【請求項３】
前記水酸化ナトリウム及び水酸化カリウムの少なくとも一方と過酸化水素供給化合物とを、黒液濃縮工程系に添加することを含む、請求項１又は２に記載の洗浄方法。
【請求項４】
洗浄対象である付着物は、黒液濃縮工程系のエバポレータの付着物である、請求項１から３のいずれかに記載の洗浄方法。
【請求項５】
前記水酸化ナトリウム及び水酸化カリウムの少なくとも一方と過酸化水素供給化合物とを、前加水分解釜とブローポンプとの間に添加することを含む、請求項１又は２に記載の洗浄方法。
【請求項６】
洗浄対象である付着物は、前加水分解釜と蒸解釜との間に配置されたブローポンプの付着物である、請求項１、２又は５に記載の洗浄方法。
【請求項７】
前記過酸化水素供給化合物は、過酸化水素、過酢酸、過ホウ酸、過炭酸、ペルオキシ硫酸、尿素及びこれらの組み合わせからなる群から選択される、請求項１から６のいずれかに記載の洗浄方法。
【請求項８】
請求項１から７のいずれかに記載の洗浄方法によって溶解パルプ製造工程水系を洗浄する工程を含む、溶解パルプの製造方法。
【発明の詳細な説明】
【技術分野】
【０００１】
本開示は、溶解パルプ製造工程で発生する付着物の洗浄方法、及び当該洗浄方法による洗浄工程を含む溶解パルプの製造方法に関する。
【背景技術】
【０００２】
紙やその原料となるパルプの製造において工程水系中の配管や壁材に、バージンパルプや充填料に起因するスラッジ状の汚れが付着又は堆積し、各種障害を引き起こすことが問題となっている。このため、工程水系を洗浄するための様々な方法が提案されており、例えば、各種界面活性剤を用いた方法や、苛性ソーダを用いた方法、有機ホスホン酸を用いた方法等がある（例えば、特許文献１）。
【０００３】
また、パルプの製造ではアルカリを用いた蒸解が行われ、この蒸解には多量のアルカリと水とを使用することから、蒸解工程で排出された蒸解廃液からアルカリを回収し、再利用されている。アルカリ回収工程では、エバポレータ等を用いた蒸解廃液（黒液）の濃縮等が行われるが、黒液濃縮装置や配管にスケールが付着し、配管を閉塞したり、生産性が低下するという問題がある。このため、例えば、アルカリ性条件下で多塩基酸型アミノカルボン酸化合物を用いてスケールを洗浄することが提案されている（例えば、特許文献２）。
【先行技術文献】
【特許文献】
【０００４】
【特許文献１】特開平３−２４４６９８号公報
【特許文献２】特開２００７−６３６９６号公報
【発明の概要】
【発明が解決しようとする課題】
【０００５】
パルプは、用途によって分類した場合、抄紙されて紙として利用される製紙パルプ（ＰＰ）と、レーヨンやセロファン等の原料として利用される溶解パルプ（ＤＰ）とに分類される。製紙パルプは、パルプの歩留まり向上の点からヘミセルロースを積極的に残すように製造され、セルロースとヘミセルロースと含む。一方、溶解パルプは、セルロースの純度が高いことが望まれることから、化学的に特別な精製によりヘミセルロースをできるだけ除去しセルロースの純度が高められるように製造され、パルプ中のセルロースの純度は通常９０％を超える。
【０００６】
つまり、製紙パルプと溶解パルプとは、用途のみならず、パルプ化における製造方法及び組成が異なる。溶解パルプ製造工程で発生する付着物は、上記の従来の洗浄方法では十分に洗浄できないという問題があった。
【０００７】
そこで、本開示は、一又は複数の実施形態において、溶解パルプ製造工程における付着物を洗浄可能な方法を提供する。
【課題を解決するための手段】
【０００８】
本開示は、一又は複数の実施形態において、溶解パルプ製造工程における付着物の洗浄方法であって、水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを溶解パルプ製造工程水系に添加して溶解パルプ製造工程水系を洗浄することを含む洗浄方法に関する。
【０００９】
本開示は、一又は複数の実施形態において、上記の洗浄方法によって溶解パルプ製造工程系を洗浄する工程を含む、溶解パルプの製造方法に関する。
【発明の効果】
【００１０】
本開示によれば、一又は複数の実施形態において、溶解パルプ製造工程で発生する付着物を洗浄できる。
【図面の簡単な説明】
【００１１】
【図１】図１は、溶解クラフトパルプにおけるパルプ化工程の一例を説明するための概略図である。
【図２】図２は、溶解パルプの製造工程における黒液濃縮（薬品回収）工程の一例を説明するための概略図である。
【図３】図３は、実施例で用いた洗浄効果の確認試験に用いた装置を説明するための概略図である。
【発明を実施するための形態】
【００１２】
本開示は、５０００ｍｇ／Ｌ以上１５００００ｍｇ／Ｌ以下の水酸化ナトリウム及び水酸化カリウムの少なくとも一方と、３０００ｍｇ／Ｌ以上５００００ｍｇ／Ｌ以下（過酸化水素換算）の過酸化水素供給化合物とを用いれば、溶解パルプ製造工程における付着物を効率よく洗浄できる、との知見に基づく。
【００１３】
溶解パルプは、亜硫酸水素カルシウム（酸性蒸解液）を用いて蒸解を行うＳＰ法（サルファイト法）によって製造された溶解亜硫酸パルプ（ＤＳＰ）と、水酸化ナトリウムと硫化ナトリウムの混合液（アルカリ性蒸解液）を使用するＫＰ法（クラフト法）によって製造された溶解クラフトパルプ（ＤＫＰ）とがある。図１に示すように、溶解クラフトパルプの製造では、チップ化（チップピン）１と蒸解４との間に、酸を用いた前加水分解（ＰＨＶ）２が行われる。溶解パルプ製造工程水系の付着物は、硫黄分を含み、かつ有機物を主体とする。これに対し、製紙パルプ製造工程水系における付着物（スラッジ）は、無機物を主体とする。つまり、下記表に示すように、溶解パルプ製造工程水系と製紙パルプ製造工程水系とは、付着物の組成が大きく異なる。このような付着物の組成の違いから、従来のパルプ製造工程における洗浄方法では、溶解パルプ製造工程の付着物を十分に洗浄できないと考えられていた。本発明者らは、メカニズムは不明ではあるが、上記所定の濃度で水酸化ナトリウム及び水酸化カリウムの少なくとも一方と過酸化水素供給化合物とを併用することによって、溶解パルプ製造工程水系における付着物を洗浄できることを見出したのである。
【表１】
2016211087.tif 000002
【００１４】
本開示によれば、一又は複数の実施形態において、溶解パルプ製造工程水系の付着物を効率よく洗浄できうる。溶解パルプ製造工程水系の付着物としては、一又は複数の実施形態において、熱伝達面（ディストリビュータ）等に付着した付着物が挙げられる。溶解パルプ製造工程水系の付着物としては、一又は複数の実施形態において、溶解パルプ製造工程水系を構成する配管、ポンプ、壁材、薬品回収装置（黒液濃縮装置）に配置されたエバポレータ、ウォッシャー、スクリーン等に付着又は堆積した付着物等が挙げられる。したがって、本開示によれば、一又は複数の実施形態において、溶解クラフトパルプ製造工程水系における前加水分解釜（ＰＨＶ）と蒸解釜との間に配置されたブローポンプ（図１における３）に付着又は堆積した付着物を洗浄できうる。本開示によれば、一又は複数の実施形態において、黒液濃縮工程系のエバポレータに付着又は堆積した付着物を洗浄できうる。
【００１５】
本開示における「溶解パルプ製造工程」とは、溶解パルプを製造する工程をいい、好ましくは溶解パルプの製造におけるパルプ化工程をいう。本開示において、溶解パルプは、ＳＰ法（サルファイト法）によって製造する溶解亜硫酸パルプ（ＤＳＰ）と、水酸化ナトリウムと硫化ナトリウムの混合液（アルカリ性蒸解液）を使用するＫＰ法（クラフト法）によって製造する溶解クラフトパルプ（ＤＫＰ）とを含む。
【００１６】
洗浄対象である付着物は、一又は複数の実施形態において、５０重量％以上の強熱（灼熱）減量と、１重量％以上の硫黄分とを含有する付着物を含む。本開示において「強熱（灼熱）減量」とは、付着物を強熱した時に揮発する物質の質量をいう。強熱（灼熱）減量は、一又は複数の実施形態において、付着物に含まれる有機物の量を表す。強熱（灼熱）減量は、強熱減量試験による質量の減少率（加熱前後の質量比）から算出できる。強熱（灼熱）減量は、ＪＩＳＫ０１０２：２０１３に準拠して求めることができる。具体的には実施例に記載の方法により求めることができる。洗浄対象である付着物の強熱（灼熱）減量は、一又は複数の実施形態において、５０重量％以上であり、又は９９重量％以下である。
【００１７】
洗浄対象である付着物は、一又は複数の実施形態において、１重量％以上の硫黄分を含有する。本開示において「硫黄分」とは、付着物に含まれる各種硫黄、無機硫黄化合物及び有機硫黄化合物をいう。洗浄対象である付着物は、一又は複数の実施形態において、１重量％以上の硫黄分を含有する。洗浄対象である付着物は、一又は複数の実施形態において、５０重量％以下の硫黄分を含有する。硫黄分の含有量は、強熱（灼熱）減量で得た灰化した物及び灰分の蛍光Ｘ線分析を行い、バルクＦＰ法で酸化物として求めることができる。具体的には、実施例に記載の方法により求めることができる。
【００１８】
［溶解パルプ製造工程水系の洗浄方法］
本開示は、一又は複数の実施形態において、水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを、溶解パルプ製造工程水系に添加して溶解パルプ製造工程水系を洗浄することを含む溶解パルプ製造工程の付着物の洗浄方法（以下、「本開示の洗浄方法」ともいう）に関する。したがって、本開示の洗浄方法は、一又は複数の実施形態において、５０００ｍｇ／Ｌ以上１５００００ｍｇ／Ｌ以下の水酸化ナトリウム及び水酸化カリウムの少なくとも一方と、３０００ｍｇ／Ｌ以上５００００ｍｇ／Ｌ以下（過酸化水素換算）の過酸化水素供給化合物とを用いて溶解パルプ製造工程水系を洗浄することを含む。
【００１９】
本開示の洗浄方法は、溶解パルプ製造工程水系に水酸化ナトリウム及び水酸化カリウムの少なくとも一方を５０００ｍｇ／Ｌ以上１５００００ｍｇ／Ｌ以下添加することを含む。洗浄効率の点から、一又は複数の実施形態において、水酸化ナトリウム及び水酸化カリウムの少なくとも一方を、１００００ｍｇ／Ｌ以上、２００００ｍｇ／Ｌ以上、３００００ｍｇ／Ｌ以上、又は４００００ｍｇ／Ｌ以上添加することを含む。また、処理コストの点から、一又は複数の実施形態において、水酸化ナトリウム及び水酸化カリウムの少なくとも一方を、１３００００ｍｇ／Ｌ以下、１０００００ｍｇ／Ｌ以下、６００００ｍｇ／Ｌ以下又は５００００ｍｇ／Ｌ以下添加することを含む。本開示において水酸化ナトリウム及び水酸化カリウムの濃度（ｍｇ／Ｌ）は、１００％ＮａＯＨ又は１００％ＫＯＨとして換算した濃度をいう。
【００２０】
本開示の洗浄方法は、溶解パルプ製造工程水系に過酸化水素供給化合物を過酸化水素換算で３０００ｍｇ／Ｌ以上５００００ｍｇ／Ｌ以下添加することを含む。洗浄効率の点から、一又は複数の実施形態において、過酸化水素供給化合物を、３５００ｍｇ／Ｌ以上、４０００ｍｇ／Ｌ以上、５０００ｍｇ／Ｌ以上、又は８０００ｍｇ／Ｌ以上添加することを含む。また、処理コストの点から、一又は複数の実施形態において、過酸化水素供給化合物を、４５０００ｍｇ／Ｌ以下、４００００ｍｇ／Ｌ以下、１５０００ｍｇ／Ｌ以下又は１００００ｍｇ／Ｌ以下添加することを含む。本開示において過酸化水素供給化合物の濃度（ｍｇ／Ｌ）は、１００％過酸化水素に換算した濃度をいう。
【００２１】
過酸化水素供給化合物としては、過酸化水素、及び過酸化水素を発生又は供給可能な化合物が挙げられる。過酸化水素を発生又は供給可能な化合物としては、一又は複数の実施形態において、無機過酸若しくはその塩、有機過酸若しくはその塩、又は過酸化水素付加物等が挙げられる。無機過酸としては、一又は複数の実施形態において、過ホウ酸、過炭酸、又はペルオキシ硫酸等が挙げられる。有機過酸としては、一又は複数の実施形態において、過酢酸等が挙げられる。過酸化水素付加物としては、一又は複数の実施形態において、尿素等が挙げられる。
【００２２】
本開示の洗浄方法において、水酸化ナトリウム及び水酸化カリウムの少なくとも一方（Ａ）と過酸化水素供給化合物（Ｂ）との比（Ａ：Ｂ（重量比））は、洗浄効果の点から、一又は複数の実施形態において、１：１１〜５００：３、又は１：１０〜１００：３である。また、同様の点から、２０：８０〜９９：１、４０：６０〜９８：２、４５：５５〜９７：３、５０：５０〜９７：３又は５２：４８〜９５：５である。本開示において、水酸化ナトリウム及び水酸化カリウムの少なくとも一方（Ａ）と過酸化水素供給化合物（Ｂ）との比（Ａ：Ｂ（重量比））は、水酸化ナトリウム、水酸化カリウム及び過酸化水素供給化合物のそれぞれを１００％水酸化ナトリウム、水酸化カリウム又は過酸化水素として換算後の重量比をいう。
【００２３】
本開示の洗浄方法において、洗浄は、一又は複数の実施形態において、ｐＨ１１以上で行われる。洗浄効率の点から、ｐＨは、一又は複数の実施形態において、１２以上又は１３以上である。
【００２４】
本開示の洗浄方法は、一又は複数の実施形態において、黒液濃縮工程系（薬品回収工程系）のエバポレータの付着物を洗浄することができる。本開示の洗浄方法は、一又は複数の実施形態において、前加水分解釜と蒸解釜との間に配置されたブローポンプの付着物を洗浄することができる。但し、本開示において洗浄対象となる付着物はこれらに限定されない。したがって、本開示の洗浄方法は、一又は複数の実施形態において、水酸化ナトリウム及び水酸化カリウムの少なくとも一方と過酸化水素供給化合物とを、黒液濃縮工程系に添加することを含む。また、本開示の洗浄方法は、一又は複数の実施形態において、水酸化ナトリウム及び水酸化カリウムの少なくとも一方と過酸化水素供給化合物とを、前加水分解釜とブローポンプとの間に添加することを含む。
【００２５】
本開示の洗浄方法は、一又は複数の実施形態において、水酸化ナトリウム及び水酸化カリウムの少なくとも一方及び過酸化水素供給化合物以外の洗浄剤成分を添加することを含んでいてもよい。その他の洗浄剤成分としては、一又は複数の実施形態において、１−ヒドロキシエタン−１，１−ジホスホン酸、エチレンジアミンテトラ（メチレンホスホン酸）、ヘキサメチレンジアミンエトラ（メチレンホスホン酸）、ジエチレントリアミンペンタ（メチレンホスホン酸）、ニトリロトリメチルホスホン酸、２−ホスホノブタン−１，２，４−トリカルボン酸、エチレンジアミン四酢酸の４ナトリウム塩等が挙げられる。その他の洗浄成分の添加量は、一又は複数の実施形態において、１０００ｍｇ／Ｌ以上又は２０００ｍｇ／Ｌ以上である。その他の洗浄成分の添加量は、一又は複数の実施形態において、１０００００ｍｇ／Ｌ以下又は５００００ｍｇ／Ｌ以下である。
【００２６】
本開示の洗浄方法は、一又は複数の実施形態において、５０重量％以上の強熱（灼熱）減量と、１重量％以上の硫黄分とを含有する付着物であれば、溶解パルプ製造工程水系に付着した付着物以外の付着物を洗浄することができる。よって、本開示は、その他の態様として、５０重量％以上の強熱（灼熱）減量と、１重量％以上の硫黄分とを含有する付着物を、水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを用いて洗浄する方法に関する。
【００２７】
［溶解パルプの製造方法］
本開示は、一又は複数の実施形態において、本開示の洗浄方法によって、溶解パルプ製造工程系を洗浄する工程を含む溶解パルプの製造方法に関する（以下、「本開示の溶解パルプの製造方法」ともいう）。本開示の溶解パルプの製造方法は、一又は複数の実施形態において、ＳＰ法（サルファイト法）によってパルプ化する工程を含む。本開示の溶解パルプの製造方法は、一又は複数の実施形態において、ＫＰ法（クラフト法）によってパルプ化する工程を含む。
【００２８】
本開示の溶解パルプの製造方法は、一又は複数の実施形態において、黒液濃縮工程を含み、前記洗浄工程において、黒液濃縮工程系におけるエバポレータの付着物を洗浄することを含む。
【００２９】
［洗浄剤］
本開示は、一又は複数の実施形態において、水酸化ナトリウム及び水酸化カリウムの少なくとも一方と、過酸化水素供給化合物とを含む、溶解パルプ製造工程水系の洗浄剤に関する。過酸化水素供給化合物は上述の通りである。
【００３０】
［洗浄用キット］
本開示は、一又は複数の実施形態において、水酸化ナトリウム及び水酸化カリウムの少なくとも一方が充填された容器と、過酸化水素供給化合物が充填された容器とを含む、溶解パルプ製造工程水系の洗浄用キットに関する。過酸化水素供給化合物は上述の通りである。
【００３１】
本開示は、以下の、一又は複数の実施形態に関しうる；
〔１〕  溶解パルプ製造工程における付着物の洗浄方法であって、
水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを、溶解パルプ製造工程水系に添加して溶解パルプ製造工程水系を洗浄することを含む、洗浄方法。
〔２〕  洗浄対象である付着物は、５０重量％以上の強熱（灼熱）減量と、１重量％以上の硫黄分とを含有する付着物を含む、〔１〕記載の洗浄方法。
〔３〕  前記水酸化ナトリウム及び水酸化カリウムの少なくとも一方と過酸化水素供給化合物とを、黒液濃縮工程系に添加することを含む、〔１〕又は〔２〕に記載の洗浄方法。
〔４〕  洗浄対象である付着物は、黒液濃縮工程系のエバポレータの付着物である、〔１〕から〔３〕のいずれかに記載の洗浄方法。
〔５〕  前記水酸化ナトリウム及び水酸化カリウムの少なくとも一方と過酸化水素供給化合物とを、前加水分解釜とブローポンプとの間に添加することを含む、〔１〕又は〔２〕に記載の洗浄方法。
〔６〕  洗浄対象である付着物は、前加水分解釜と蒸解釜との間に配置されたブローポンプの付着物である、〔１〕、〔２〕又は〔５〕に記載の洗浄方法。
〔７〕  前記過酸化水素供給化合物は、過酸化水素、過酢酸、過ホウ酸、過炭酸、ペルオキシ硫酸、尿素及びこれらの組み合わせからなる群から選択される、〔１〕から〔６〕のいずれかに記載の洗浄方法。
〔８〕  〔１〕から〔７〕のいずれかに記載の洗浄方法によって溶解パルプ製造工程水系を洗浄する工程を含む、溶解パルプの製造方法。
【００３２】
以下、実施例及び比較例を用いて本開示をさらに説明する。ただし、本開示は以下の実施例に限定して解釈されない。
【実施例】
【００３３】
５０ｍｌのガラス容器に、表２のＮｏ．１〜５に示す各薬剤を入れて４０ｇの洗浄液を調製した。調製した洗浄液はいずれもｐＨは１１以上であった。薬剤は、以下のものを使用した。
ＮａＯＨ：５０％水酸化ナトリウム溶液（和光純薬工業株式会社製）
Ｈ2Ｏ2：３５％過酸化水素水（和光純薬工業株式会社製）
ＨＥＤＰ：９５％１−ヒドロキシエチリデン−１，１−ジホスホン酸（和光純薬工業株式会社製）
ＥＤＴＡ４Ｎａ：エチレンジアミン四酢酸四ナトリウム（２水和物）（キシダ化学株式会社製）
【表２】
2016211087.tif 000003
【００３４】
洗浄効果の確認試験は、図３に示す装置を用いて行った。ガラス容器１１内に配置した２０メッシュの筒状の金網１２に、ＳＰ法により溶解パルプを製造する某製紙工場の薬品回収（黒液濃縮）工程のエバポレータで採取した付着物１３を３００ｍｇずつ入れ、上記調製した洗浄液を４０ｇ加えた後、スターラー１４で処理液１５を６０℃で４時間撹拌した。付着物は下記表３に示す付着物１又は付着物２を使用した。処理時（撹拌時）の処理液のｐＨは１１以上であった。撹拌終了後、付着物の入った筒状の金網を取り出して流水で２時間洗浄し、７０℃で４時間乾燥させて付着物の重量を測定した。またＮｏ．６〜９の薬剤についても同様に行なった。それらの結果を処理時の各成分の濃度と併せて下記表４に示す。なお除去率（％）については、以下の式を用いて算出した。
除去率（％）＝（無処理の付着物重量(300mg)−処理後の付着物の重量）／ 300mg × 100
【表３】
2016211087.tif 000004
【００３５】
［強熱（灼熱）減量］
強熱（灼熱）減量は、以下のように測定した。すなわち、ＪＩＳＫ０１０２：２０１３に準じて、１０５℃２時間乾燥器で乾燥して得た付着物の蒸発残留物をるつぼに入れ、８００℃１時間電気炉で加熱し、灰化し求めた。
［付着物の組成］
付着物の組成は、以下のように測定した。すなわち、強熱（灼熱）減量で得た灰化した物及び灰分の蛍光Ｘ線分析を行い、バルクＦＰ法で酸化物として組成を決めた。
【００３６】
【表４】
2016211087.tif 000005
【００３７】
表４に示すように、実施例１〜７によれば、比較例１〜５と比較して非常に高い除去率を示した。また、実施例１〜７ではいずれも比較例１〜５と比較して撹拌終了後の付着物が崩壊していた。これらの結果から、実施例１〜７の洗浄剤を用いた洗浄方法によれば、溶解パルプ製造工程水系における付着物１又は２のような溶解パルプ製造工程における付着物を除去できると考えられる。
【図１】
2016211087.tif 000006
【図２】
2016211087.tif 000007
【図３】
2016211087.tif 000008
【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
溶解パルプ製造工程における付着物の洗浄方法であって、
水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを、溶解パルプ製造工程水系に添加して溶解パルプ製造工程水系を洗浄することを含む、洗浄方法（但し、セルロース原料に、水酸化ナトリウム及び水酸化カリウムの少なくとも一方並びに過酸化水素供給化合物を添加する場合を除く）。
【請求項２】
洗浄対象である付着物は、５０重量％以上の強熱（灼熱）減量と、１重量％以上の硫黄分とを含有する付着物を含む、請求項１記載の洗浄方法。
【請求項３】
前記水酸化ナトリウム及び水酸化カリウムの少なくとも一方と過酸化水素供給化合物とを、黒液濃縮工程系に添加することを含む、請求項１又は２に記載の洗浄方法。
【請求項４】
洗浄対象である付着物は、黒液濃縮工程系のエバポレータの付着物である、請求項１から３のいずれかに記載の洗浄方法。
【請求項５】
前記水酸化ナトリウム及び水酸化カリウムの少なくとも一方と過酸化水素供給化合物とを、前加水分解釜とブローポンプとの間に添加することを含む、請求項１又は２に記載の洗浄方法。
【請求項６】
洗浄対象である付着物は、前加水分解釜と蒸解釜との間に配置されたブローポンプの付着物である、請求項１、２又は５に記載の洗浄方法。
【請求項７】
前記過酸化水素供給化合物は、過酸化水素、過酢酸、過ホウ酸、過炭酸、ペルオキシ硫酸、過酸化尿素及びこれらの組み合わせからなる群から選択される、請求項１から６のいずれかに記載の洗浄方法。
【請求項８】
溶解パルプ製造工程における付着物の洗浄方法であって、
水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを、黒液濃縮工程系、及び前加水分解釜とブローポンプとの間の少なくとも一方に添加して溶解パルプ製造工程水系を洗浄することを含む、洗浄方法。
【請求項９】
溶解パルプ製造工程における付着物の洗浄方法であって、
水酸化ナトリウム及び水酸化カリウムの少なくとも一方を５０００ｍｇ／Ｌ以上１５００００ｍｇ／Ｌ以下と、過酸化水素供給化合物を過酸化水素換算で３０００ｍｇ／Ｌ以上５００００ｍｇ／Ｌ以下とを、溶解パルプ製造工程水系に添加して溶解パルプ製造工程水系を洗浄することを含み、
前記洗浄対象である付着物は、黒液濃縮工程系のエバポレータの付着物、及び前加水分解釜と蒸解釜との間に配置されたブローポンプの付着物の少なくとも一方の付着物を含む、洗浄方法。
【請求項１０】
請求項１から９のいずれかに記載の洗浄方法によって溶解パルプ製造工程水系を洗浄する工程を含む、溶解パルプの製造方法。